(57)【特許請求の範囲】
【請求項１】
太陽電池パネルと、
側部と、該側部の前記太陽電池パネルの裏面側の端部から突出し、前記太陽電池パネルの裏面側に位置する基底部と、を有し、前記太陽電池パネルを保持するフレームと、
を備える太陽電池モジュールを設置面上に固定する架台であって、
前記太陽電池パネルの裏面側において互いに間隔をあけて配置され、前記太陽電池モジュールを固定する複数の柱状部材と、
前記太陽電池モジュールの前記フレームを補強する補強部材であって、前記フレームの前記側部の外側と前記基底部の外側に当接する支持部材と、一端が、前記太陽電池パネルの裏面側で前記柱状部材に固定され、他端が前記支持部材に接続される固定部と、を備える補強部材と、を備え、
前記固定部は、前記支持部材が当接する前記フレームが延びる方向とは交差する方向に延びており、
前記柱状部材は、前記支持部材が当接する前記フレームが延びる方向に対して交差する方向に延びる縦材であり、
前記補強部材の前記固定部は、前記支持部材側から反対方向に向かって二叉に分岐しており、
前記固定部は隣り合う柱状部材の一方と他方とに固定されている、架台。
【請求項２】
前記補強部材の前記固定部は、前記太陽電池モジュールを前記柱状部材に固定する締結部材により前記柱状部材に固定される、請求項１に記載の架台。
【請求項３】
前記二叉に分岐した前記固定部は、二叉の一方を構成する第１の固定部材と、前記二叉の他方を構成する第２の固定部材とから構成され、前記第１の固定部材と前記第２の固定部材と前記支持部材とが一緒に締結部材で締結される、請求項１または２に記載の架台。
【請求項４】
前記固定部と前記支持部材とが一体的に形成されている、請求項１または２に記載の架台。
【請求項５】
前記補強部材は、前記支持部材と協働して前記フレームの側部を挟持するよう、前記フレームの前記側部の内側から該側部に当接し、かつ、前記固定部に固定される側部内側当接片を備える、請求項１から４のいずれか１項に記載の架台。
【請求項６】
前記支持部材と協働して前記フレームの側部を挟持するよう、前記フレームの前記側部の内側から該側部に当接する側部内側当接片を有し、
前記固定部の端部は前記側部内側当接片とは連続的に形成され、
締結部材で前記支持部材と前記固定部とが締結される、請求項１または２に記載の架台。
【請求項７】
前記二叉に分岐した前記固定部は、前記二叉の一方を構成する第１の固定部材と、前記二叉の他方を構成する第２の固定部材とから構成され、前記第１の固定部材または前記第２の固定部材の一方と前記側部内側当接片とが連続的に形成され、前記第１の固定部材と前記第２の固定部材と前記支持部材とが一緒に締結部材で締結される、請求項６に記載の架台。
【請求項８】
前記支持部材と前記側部と前記側部内側当接片とが締結部材により締結される、請求項５から７のいずれか１項に記載の架台。
【請求項９】
前記補強部材の前記固定部は、それ自体の長さを調節可能な調節機構を備える、請求項１から８のいずれか１項に記載の架台。
【請求項１０】
前記太陽電池モジュールは、前記太陽電池パネルの受光面が設置面に対して傾斜するよう前記柱状部材によって支持され、
前記補強部材は、前記支持部材が前記太陽電池モジュールの水下側にある前記フレームの前記側部に当接するように前記固定部を介して前記柱状部材に固定される、請求項１から９のいずれか１項に記載の架台。
【請求項１１】
少なくとも１つの前記太陽電池モジュールと、
請求項１から１０のいずれか１項に記載の架台と、を備える、太陽電池モジュールの設置体。
【発明の詳細な説明】
【技術分野】
【０００１】
本発明は、太陽電池モジュールを設置面上に固定するための太陽電池モジュール用の架台及びそれを備えた太陽電池モジュールの設置体に関する。
【背景技術】
【０００２】
近年、環境に対する関心や政策等から、公共施設や一般家庭など、あらゆる場所で太陽電池モジュール設置体の設置が進められている。図８に関連技術の一例である太陽電池モジュール設置体１０１の概略斜視図を示す。太陽電池モジュール設置体１０１は、屋根や屋上あるいは地面などの設置面１０２上に設けられた架台１１０と、該架台１１０にアレイ状に配置され固定された複数の太陽電池モジュール１３０からなる太陽電池アレイと、からなる。太陽電池モジュール１３０は、太陽電池パネル１３２と、該太陽電池パネル１３２の外周部を保持するとともに架台に固定されるフレーム１３４とを有する。架台１１０は、例えば互いに間隔をあけて平行に設置される複数の縦材１２０を備え、複数の太陽電池モジュール１３０のそれぞれは縦材１２０を介して水平方向から傾斜した状態で架台１１０に固定される。
【０００３】
このような太陽電池モジュールの設置体は、積雪地域に設置される場合がある。降雪時において太陽電池パネルの受光面に積雪すると、太陽電池アレイが傾斜しているため、雪が水下側（設置面に近づく方向）に集まり、水下側にある太陽電池モジュールに加わる雪の圧力が大きくなる。さらに詳細に言えば、最も水下側にある太陽電池モジュールの水下側端部において、雪の圧力が特に大きくなる。
【０００４】
図９は、関連技術の一例の架台に取付けられた水下側にある太陽電池モジュールの断面図であり、雪の圧力(矢印Ｓ）が加わった状態を示す。なお、図９では太陽電池モジュール１３０のみを示している。フレーム１３４は断面が略Ｅ形状をしている。フレーム１３４は、側部１３６と、該側部１３６の一端から垂直に延びる表面のフランジ１４１と、該側部１３６の一端と他端との間において、該側部から垂直に延びる裏面のフランジ１４２と、該側部１３６の他端から垂直に延び、架台に固定される基底部１３９とを有する。また、側部１３６の一部と表面フランジ１４１及び裏面フランジ１４２とにより断面コの字状に形成され太陽電池パネル１３２の外周部を保持する保持部１３７が構成されている。太陽電池モジュール１３０の水下側端部に雪による大きな圧力が加わると、図９に点線で示すように、太陽電池モジュール１３０の太陽電池パネル１３２が凹状に湾曲し、太陽電池パネル１３２は裏面フランジ１４２を押し込む。その結果、太陽電池パネル１３２を保持するフレーム１３４がねじれ、反りが生じ、保持部１３７の開口が設置面１０２方向に図９では時計回りに移動する。さらに、その反りは側部１３６の他端側で大きくなるため、表面フランジ１４１と裏面フランジ１４２と先端同士の間の間隔が大きくなる。すると、太陽電池パネル１３２には雪による鉛直方向の圧力が加わり続けているため、太陽電池パネル１３２が保持部１３７から落下する可能性があった。
【０００５】
特許文献１には、このような積雪地域等での使用に対しても充分な強度を有するよう、補強枠部材を備えた太陽電池モジュールが開示されている。この補強枠部材は、太陽電池パネルの裏面を延びる柱状をしており、対向するフレームの一方と他方とに、補強枠部材の一方の端部と他方の端部とがそれぞれ固定されている。フレームは補強枠部材に固定されているため、フレームの反りが抑制される。
【先行技術文献】
【特許文献】
【０００６】
【特許文献１】特開２０１０−２８３３９７号公報
【発明の概要】
【発明が解決しようとする課題】
【０００７】
積雪が問題とならない地域では補強枠部材を備えない通常の太陽電池モジュールが使用される。そのため、通常の太陽電池モジュールと、特許文献１に開示された補強枠部材を備える太陽電池モジュールの２種類の太陽電池モジュールを用意して製造する必要がある。したがって、通常の太陽電池モジュールとは別に、積雪地域用の太陽電池モジュールの生産ラインや保管場所を設ける必要があり、製造コストの増加が生じるという課題があった。
【０００８】
本発明は、上記課題に鑑みてなされたものであり、積雪等に起因するフレームの反りを抑制し、フレームからの太陽電池パネルの落下を防止することができる架台及びそれを備えた太陽電池モジュールの設置体を提供することを目的とする。
【課題を解決するための手段】
【０００９】
本発明の一実施形態の架台は、太陽電池パネルと、側部と、該側部の端部同士の間から突出し、太陽電池パネルの外周部を支持するフランジと、該側部の太陽電池パネルの裏面側の端部から突出し、太陽電池パネルの裏面側に位置する基底部と、を有するフレームと、を備える太陽電池モジュールを設置面上に固定する架台である。架台は、太陽電池パネルの裏面側において互いに間隔をあけて配置され、太陽電池モジュールを固定する複数の柱状部材と、太陽電池モジュールのフレームを補強する補強部材であって、フレームの側部の外側の少なくとも一部に当接するとともに基底部の外側に沿ってフレームが延びる方向とは交差する方向に延びる支持部材と、一端が、太陽電池パネルの裏面側で柱状部材に固定され、他端が支持部材に接続される固定部と、を備える補強部材と、を備えている。固定部は、支持部材が当接するフレームが延びる方向とは交差する方向に延びている。
本発明の一実施形態の太陽電池モジュールの設置体は、少なくとも１つの上述の太陽電池モジュールと、上述の架台と、を備えている。
【００１０】
補強部材の支持部材は、固定部材を介してフレームとは別部材の柱状部材に固定されている。そのため、フレームが太陽電池パネルから反りが生じるような力が加わっても、フレームの側部に当接する支持部材は、固定部材を介してフレームではなく柱状部材に固定されているため、支持部材の位置は変わらず、フレームからの力に抗することができる。
【発明の効果】
【００１１】
本発明によれば、フレームの反りが抑制され、それによりフレームからの太陽電池パネルの落下を防止することができる。
【図面の簡単な説明】
【００１２】
【図１】本発明の第１の実施形態の架台を用いて太陽電池アレイを形成した太陽電池モジュールの設置体を示す概略斜視図である。
【図２】図１の架台の一部を示す図であり、太陽電池モジュールの裏面側から見た平面図である。
【図３】補強部材の一部を示す図であり、（ａ）は図２の部分Ａの拡大平面図、（ｂ）は（ａ）のＩＩＩ−ＩＩＩ線に沿った断面図である。
【図４】第２の実施形態の架台の補強部材を示す概略構成図であり、（ａ）は太陽電池モジュールの裏面側から見た平面図、（ｂ）は（ａ）のＩＶ−ＩＶ線に沿った断面図であり、（ｃ）は補強部材の別例を示す断面図である。
【図５】第３の実施形態の架台の補強部材を太陽電池モジュールの裏面側から見た平面図である。
【図６】第４の実施形態の架台であって、横方向に延びる柱状部材に固定される補強部材を太陽電池モジュールの裏面側から見た平面図である。
【図７】第５の実施形態の架台の補強部材を太陽電池モジュールの裏面側から見た平面図であり、長さを調節する機能を有する固定部を示す図である。
【図８】関連技術の一例の太陽電池モジュールの設置体を示す概略斜視図である。
【図９】関連技術の一例の架台に取付けられた太陽電池モジュールの断面図である。
【発明を実施するための形態】
【００１３】
以下、添付図面を参照して本発明の実施形態について説明する。以下の実施形態において同一または類似の構成要素には共通の参照符号を付して示し、理解を容易にするために、これら図面は縮尺を適宜変更している。また、本発明の技術範囲はそれらの実施形態に限定されず、特許請求の範囲に記載した発明とその均等物におよぶ点に留意されたい。
【００１４】
［実施形態１］
本実施形態の太陽電池モジュール用の架台について説明する。図１は、本実施形態の架台を用いて太陽電池アレイを形成した太陽電池モジュールの設置体を示す概略斜視図である。図２は、図１の架台の一部を示す図であり、太陽電池モジュールの裏面側から見た平面図である。図３は、補強部材の一部を示す図であり、（ａ）は図２の部分Ａの拡大平面図、（ｂ）は（ａ）のＩＩＩ−ＩＩＩ線に沿った断面図である。
【００１５】
太陽電池ジュールの設置体１は、アレイ状に配置された複数の太陽電池モジュールが架台１０に固定されることで形成されている。本実施形の架台１０は、アレイ状に配置された複数の太陽電池モジュール３０を、例えば地面である設置面２上に固定するためのものである。
【００１６】
架台１０に固定される太陽電池モジュール３０は、矩形で平板の太陽電池パネル３２と、太陽電池パネル３２の外周部を保持するフレーム３４とを備える。太陽電池パネル３２は受光面３２ａと、受光面３２ａの反対側の裏面３２ｂとを有する。
【００１７】
また、フレーム３４は、側部３６と、該側部３６の一端から垂直に突出し延びる表面フランジ４１と、該側部３６の一端と他端との間において、該側部から突出し垂直に延びる裏面フランジ４２と、該側部の他端から垂直に延び、架台１０に固定される基底部３９とを有する。また、側部３６の一部と、表面フランジ４１及び裏面フランジ４２とにより断面コの字状に形成され太陽電池パネル３２の外周部を保持する保持部３７が構成されている（図３（ｂ）参照）。
【００１８】
図１に示す架台１０は、太陽電池パネル３２の裏面側において、互いに間隔を開けて配置され、太陽電池モジュール３０のフレーム３４の基底部３９が固定される複数の柱状部材（１２ａ、１２ｂ：以下単に柱状部材を示す場合は「柱状部材１２」と称する場合がある）と、太陽電池モジュール３０のフレーム３４を補強する補強部材２０とを備える。
【００１９】
複数の柱状部材１２は、隣り合う柱状部材１２ａ、１２ｂの間隔を維持するよう梁部材１４により連結される。また、架台１０は、太陽電池パネル３２の受光面３２ａが設置面２に対して傾斜するように柱状部材１２を支持する支持台１６を備える。本明細書では、図１に示すように、太陽電池パネル３２の受光面３２ａが傾斜する方向である矢印Ｙ方向を縦方向と称し、受光面３２ａに平行であり、かつ矢印Ｙに直交する方向である矢印Ｘ方向を横方向と称し、太陽電池モジュールの受光面３２ａに対して垂直な方向である矢印Ｚ方向を上方向と称する。また、太陽電池パネル３２の設置面２に近づく方向を水下側、同様に、太陽電池パネル３２の設置面２から遠ざかる方向を水上側と称し、太陽電池モジュール３０の水上側の辺を上辺部、水下側の辺を下辺部、上辺部と下辺部との間の辺を側辺部と称する。
【００２０】
隣り合う柱状部材１２ａ、１２ｂの間隔は、太陽電池モジュール３０の横方向の長さ幅Ｗ０（図２参照）と対応し、太陽電池モジュール３０のそれぞれは、その側辺部が柱状部材１２の長さ方向に従って配置されており、側辺部のフレーム３４の基底部３９を介してボルト等の締結部材１７により柱状部材１２ａ、１２ｂに取付けられている。
【００２１】
なお、図１及び図２に示す架台１０の柱状部材１２は、最も水下側にある太陽電池モジュール３０の下辺部まで延びていない。これは、柱状部材１２が、太陽電池モジュール３０を固定する締結位置まで延びていれば、水下側の太陽電池モジュール３０を柱状部材１２に対し充分に固定することが可能だからであり、また柱状部材１２の長さを短くすることでコストを抑制できるからである。
【００２２】
次に、本実施形態の架台１０が備える補強部材２０について説明する。補強部材２０は、断面Ｌ字形の支持部材２３と固定部２２とを有する。支持部材２３は、フレーム３４の側部３６の外側に当接する側部外側当接片２３ａと、側部外側当接片２３ａに直交し、基底部３９の外側に当接する外側基底部当接片２３ｂとを有する。本実施形態の支持部材２３の外側基底部当接片２３ｂは、フレーム３４が延びる方向（図３（ａ）のＸ方向）とは交差する方向（図３（ａ）のＹ方向）に延びている。また、支持部材２３は、フレーム３４の幅方向の少なくとも一部において、フレームの側部３６と基底部３９とに亘って連続的にフレーム３４の外側から当接する。固定部２２は、太陽電池モジュール３０の裏面側を延び、支持部材２３をフレーム３４に当接する位置に固定する部材であり、該固定部２２の一端は支持部材２３に接続され、該固定部２２の他端は柱状部材１２に固定されている。なお、固定部２２は、支持部材２３が当接するフレームが延びる方向（図３（ａ）のＸ方向）とは交差する方向（図３（ａ）のＥ１方向またはＥ２方向、すなわちフレームが延びる方向に対して平行ではない方向）に延びている。
【００２３】
本実施形態においては、固定部２２は、一端が柱状部材１２ａに固定される第１の固定部材２２ａと、一端が柱状部材１２ｂに固定される第２の固定部材２２ｂの２つの部材からなり、２つの固定部材２２ａ、２２ｂの他端と、支持部材２３とは締結部材２５で締結される。つまり、固定部２２は、支持部材２３側から離れるにつれて二叉に分岐して、太陽電池モジュール３０を固定する隣り合う２つの柱状部材１２ａ、１２ｂのそれぞれに固定される。なお、本実施形態において、支持部材２３は、締結部材２５で締結されるため、支持部材２３の外側基底部当接片２３ｂは、フレーム３４の基底部３９よりも太陽電池モジュール３０の内側の方向（図３（ａ）、（ｂ）のＦ方向）に突出しており、この突出した部分において、締結部材２５により２つの固定部材２２ａ、２２ｂと締結される。また、フレーム３４の側部３６と側部外側当接片２３ａとが締結部材により固定されてもよい（不図示）。なお、柱状部材１２の、フレーム３４が固定される位置で、フレーム３４を柱状部材１２に固定する締結部材１７を用いて、固定部材２２をフレーム３４とともに柱状部材１２に固定することで、補強部材２０を柱状部材１２に固定する締結部材を別途用意する必要が無く、よってコストを下げることができる。また、補強部材２０を複数の部材で形成することで、それらを一体で形成した場合に比べて１つ１つの部材は小さいため、運搬や保管が容易になる。
【００２４】
本実施形態の架台１０の支持部材２３は、太陽電池モジュール３０の下辺部の側部３６に当接し、その位置が固定部２２により固定されることにより、フレーム３４の反りを抑制する。支持部材２３の幅Ｗ１や高さＨ１は、フレーム３４が受ける圧力に抗するのに必要な強度を有するように設定される。すなわち、フレーム３４の変形を抑制できるならば、側部外側当接片２３ａはフレーム３４の側部３６全体に当接しなくてもよい。また、フレーム３４の反りは側部３６の基底部３９側で大きいことから、側部外側当接片２３ａの高さＨ１は、フレームの高さＨ０よりも小さくてもよく、フレーム３４の反りを抑制できれば、側部外側当接片２３ａがフレーム３４の側部３６に引っかかる程度でもよい。
【００２５】
なお、図２及び図３に示す太陽電池モジュール３０の幅Ｗ０は約９００ｍｍ、フレーム３４の側部３６の高さＨ０は約３５ｍｍである。支持部材２３の幅Ｗ１は約８０ｍｍ、側部外側当接片２３ａの高さＨ１は２５ｍｍである。
【００２６】
このように、本発明の架台１０の補強部材２０は、支持部材２３の側部外側当接片２３ａがフレーム３４の側部３６に外側から当接するように、固定部２２によって柱状部材１２に固定されている。よって、側部外側当接片２３ａの位置が固定されている。積雪により太陽電池パネル３２の受光面３２ａに荷重が加わった場合でも、上述したように、支持部材２３はフレーム３４から受ける圧力に抗するように構成され、かつ、側部外側当接片２３ａの位置が固定されているため、フレーム３４の変形（反り）を抑制することができる。よって、フレームの反りによる太陽電池パネル３２の落下を防止することができる。
【００２７】
本実施形態の補強部材２０の材料は、本発明の効果が得られるものであればよく、例えば鉄やアルミなどの金属や樹脂などが挙げられる。また、補強部材２０の支持部材２３を金属製とし、第１及び第２の固定部材２２ａ、２２ｂを樹脂製とするなど、複数の材料を用いてもよい。
【００２８】
なお、本実施形態の補強部材２０は複数の部材からなるが、補強部材２０は、固定部２２と支持部材２３とが一体的に形成されてもよい。一体的に形成されることで部品点数が減少し、施工時の作業工程を減らすことができる。また、第１の固定部材２２ａと第２の固定部材２２ｂとが一体的に形成され、一方、支持部材２３を別部材としてもよい。さらに、第１の固定部材２２ａあるいは第２の固定部材２２ｂのいずれか一方と支持部材２３とが一体的に形成されてもよい。
【００２９】
［実施形態２］
次に、本発明に係る架台の第２の実施形態について説明する。図４は、本実施形態の架台の補強部材を示す概略構成図であり、（ａ）は太陽電池モジュールの裏面側から見た平面図、（ｂ）は（ａ）のＩＶ−ＩＶ線に沿った断面図であり、（ｃ）は補強部材の別例を示す断面図である。本実施形態の補強部材５０は、側部外側当接片２３ａと協働してフレーム３４の側部３６を挟持するよう、フレーム３４の側部３６の内側に当接する側部内側当接片２７をさらに備える。
【００３０】
補強部材５０の側部内側当接片２７は、フレーム３４の側部３６の内側に当接するよう第２の固定部材２２ｂの端部から延びて形成されている。なお、側部内側当接片２７は、第２の固定部材２２ｂではなく、第１の固定部材２２ａの端部から延びて形成されてもよく、また、２つの固定部材２２ａ、２２ｂとは一体的ではなく、別部材として形成され締結部材２５により第１の固定部材２２ａ、第２の固定部材２２ｂ、及び支持部材２３とともに締結されてもよい。
【００３１】
側部内側当接片２７が側部３６の裏面フランジ４２と基底部３９との間の部分に当接し、側部外側当接片２３ａと側部内側当接片２７で側部３６を挟持することで、より強固にフレーム３４の変形（反り）を抑制することができる。また、図４（ｃ）に示すように、側部内側当接片２７と側部外側当接片２３ａとを、フレーム３４の側部３６を挟んで締結する締結部材２９により締結してもよい。これにより、さらに強固にフレーム３４の側部３６の反りを抑制することができる。
【００３２】
［実施形態３］
図５に、本実施形態の架台の補強部材を太陽電池モジュールの裏面側から見た平面図を示す。上述した第１、第２の実施形態の架台１０の補強部材２０、５０の固定部２２は、隣り合う２つの柱状部材１２ａ、１２ｂにそれぞれ固定される第１の固定部材２２ａと第２の固定部材２２ｂとを備えている（図１〜図４参照）。しかしながら、１つの固定部材、例えば第１の固定部材２２ａのみで支持部材２３の側部外側当接片２３ａをフレーム３４の側部３６に当接させた状態を維持できるのであれば、第１の固定部材２２ａのみからなる固定部２２を有する補強部材６０を用いることもできる。本実施形態では、補強部材の部材点数が減るので、コストや施工工数を減らすことができる。
【００３３】
［実施形態４］
次に、本発明に係る架台１０の第４の実施形態について説明する。図６は、本実施形態の架台であって、横方向に延びる柱状部材に固定される補強部材を太陽電池モジュールの裏面側から見た平面図である。第１〜第３の実施形態の架台１０の柱状部材１２は、縦方向（図１のＹ方向）に延びるよう配置されている（図１〜図５参照）。しかしながら、架台１０は、縦方向に延びる柱状部材１２の代わりに、図６に示すように、横方向（図１のＸ方向）に延びる柱状部材１３を備えていてもよい。この場合、補強部材７０は、該補強部材７０の、一端が柱状部材１３に固定され、他端が支持部材２３に接続している固定部７２を、フレーム３４とのなす角が９０°となるように設けることができる。また、図示しないが、第１、第２の実施形態のように（図１〜図４参照）、二叉に分岐した固定部２２、つまり第１の固定部材２２ａと第２の固定部材２２ｂとを有する固定部材２２を有する補強部材２０を、横方向に延びる柱状部材１３に固定してもよい。
【００３４】
［実施形態５］
次に、本発明に係る架台１０の第５の実施形態について説明する。図７は、本実施形態の架台の補強部材を太陽電池モジュールの裏面側から見た平面図であり、長さを調節する機能を有する固定部を示す図である。なお、図７では、補強部材が側部内側当接片を備える構成を示している。補強部材８０の固定部８２の第１の固定部材８２ａ及び第２の固定部材（不図示）は、その長さを調節可能な調節機構を備えてもよい。第１の固定部材８２ａ及び第２の固定部材が調節機構を備えることで、第１の固定部材８２ａ及び第２の固定部材の柱状部材１２への固定位置から支持部材との接続位置までの距離をそれぞれ調節することができる。そのため、外側フレーム３４の側部３６の幅方向において、予め決められた位置ではなく、支持部材２３をフレーム３４の側部の任意の位置に当接させ、固定することができる。したがって、太陽電池モジュールの設置時に、フレーム３４の側部３６の幅方向において、どの位置で側部外側当接片２３ａとフレーム３４の側部３６とを当接させるかを決めることが可能である。
【００３５】
図７に示す第１の固定部材８２ａは、柱状部材１２ａとの締結位置Ｇから延びる第１の細長部材８３と、支持部材２３との連結部Ｊから第１の細長部材８３に向かって延び、第１の細長部材８３上をその軸線方向にスライドする第２の細長部材８４とを有する。予め柱状部材１２ａに固定した第１の細長部材８３に対して第２の細長部材８４を支持部材２３までスライドさせ、第２の細長部材８４を第１の細長部材８３に締結して距離Ｄの大きさを固定する。図示していないが、第２の固定部材も同様である。そして、支持部材２３と第１の固定部材８２ａと第２の固定部材とを締結部材で締結する。なお、長さを調節可能な機構は上述の構成に限定されるものではない。また、固定部と支持部材とが一体的に構成された場合でも本構成は適用可能である。
【００３６】
第１の実施形態の補強部材２０を備える架台１０を用いて、太陽電池モジュール３０を設置面２に設置する設置方法（施工方法）について説明する。まず、太陽電池パネル３２の裏面側において、設置面上に複数の柱状部材を互いに間隔をあけて配置し、太陽電池モジュール３０のフレーム３４を柱状部材１２ａ、１２ｂに固定する。このとき、補強部材２０の第１の固定部材２２ａ及び第２の固定部材２２ｂとフレーム３４とが一緒に締結される個所は固定しない。次に、支持部材２３と第１の固定部材２２ａと第２の固定部材２２ｂとを締結部材２５で締結する。そして、支持部材２３をフレーム３４の側部３６に当接させながら第１の固定部材２２ａと第２の固定部材２２ｂを太陽電池モジュール３０の裏面側に配置させ、第１の固定部材２２ａとフレーム３４と柱状部材１２ａとを締結部材１７で一緒に締結し、第２の固定部材２２ｂとフレーム３４と柱状部材１２ｂとを締結部材１７で一緒に締結する。
【００３７】
第２の実施形態の側部内側当接片２７を有する補強部材５０を用いる場合の場合は、第２の固定部材２２ｂと一体となっている側部内側当接片２７をフレーム３４の側部３６に内側から当接させた後、支持部材２３の側部外側当接片２３ａをフレームの側部３６に当接させる。そして、支持部材２３と第１の固定部材２２ａと第２の固定部材２２ｂとをフレーム３４を挟持した状態で締結部材２５により締結する。そして、太陽電池モジュール３０と第１の固定部材２２ａと第２の固定部材２２ｂとを柱状部材１２ａ、１２ｂに締結部材１７で締結する。なお、上述の設置方法は一例であり、これらの方法に限定されるものではない。
【００３８】
以上、本実施形態による太陽電池モジュール用の架台について、図を参照することにより説明した。上述した実施形態の太陽電池モジュールの架台は、水下側にある太陽電池モジュールのフレームを補強するよう補強部材を備えていた。しかしながら、補強部材は、必要に応じて太陽電池アレイの端部に位置する太陽電池モジュール、例えば水上側にある太陽電池モジュールを補強するように取付けられてもよい。
【００３９】
上述したように、本発明では、関連技術の一例のように、太陽電池モジュールにフレームの反りを抑制する部材を備える構成を採用せず、架台に設けた補強部材によってフレームの反りを抑制している。そのため、通常の太陽電池モジュールと積雪地域用の太陽電池モジュールの２種の太陽電池モジュールを製造する必要がないため、複数の生産ラインや保管場所を設けるコストが掛からないので、太陽電池パネルの製造コストを抑制することができる。また、施工現場で補強部材を使用するかしないかを決められるので、利便性も向上する。
【符号の説明】
【００４０】
１    太陽電池モジュール設置体
２    設置面
１０    架台
１２、１２ａ、１２ｂ    縦材（柱状部材）
１３    横材（柱状部材）
１７    締結部材
２０、５０、６０、７０、８０    補強部材
２２、７２、８２    固定部
２２ａ、８２ａ    第１の固定部材
２２ｂ    第２の固定部材
２３    支持部材
２３ａ    側部外側当接片
２３ｂ    外側基底部当接片
２７    側部内側当接片
３０    太陽電池モジュール
３２    太陽電池パネル
３４    フレーム
３６    側部
４２    裏面フランジ
【図１】
0006523680.tif 000002
【図２】
0006523680.tif 000003
【図３】
0006523680.tif 000004
【図４】
0006523680.tif 000005
【図５】
0006523680.tif 000006
【図６】
0006523680.tif 000007
【図７】
0006523680.tif 000008
【図８】
0006523680.tif 000009
【図９】
0006523680.tif 000010